(57)【要約】【課題】  正確且つ確実に遅延を補正してビデオ信号及びオーディオ信号を出力できるＡＶ機器及びその制御方法を提供する。【解決手段】  ＡＶ機器は、ディスプレイ装置にビデオ信号及び該ビデオ信号に対応する第１オーディオ信号を出力する第１信号出力部と、前記ディスプレイ装置から前記第１オーディオ信号のフィードバック信号を受信する第１信号受信部と、前記ビデオ信号に対応する第２オーディオ信号を出力する第２信号出力部と、前記第１オーディオ信号と前記フィードバック信号とを比較して前記ディスプレイ装置の処理遅延時間を決定し、該決定された処理遅延時間に基づいて、前記第２オーディオ信号が前記ビデオ信号よりも遅延して出力されるように制御する制御部と、を備える。【選択図】      図２
2015130662.tif 000002
【特許請求の範囲】
【請求項１】
ディスプレイ装置にビデオ信号及び該ビデオ信号に対応する第１オーディオ信号を出力する第１信号出力部と、
前記ディスプレイ装置から前記第１オーディオ信号のフィードバック信号を受信する第１信号受信部と、
前記ビデオ信号に対応する第２オーディオ信号を出力する第２信号出力部と、
前記第１オーディオ信号と前記フィードバック信号とを比較して前記ディスプレイ装置の処理遅延時間を決定し、該決定された処理遅延時間に基づいて、前記第２オーディオ信号が遅延して出力されるように前記第２信号出力部を制御する制御部と、
を備えるＡＶ機器。
【請求項２】
前記第１オーディオ信号は少なくとも一つの識別区間を含み、
前記制御部は、前記識別区間に基づいて前記第１オーディオ信号と前記フィードバック信号との位相差を判断して前記処理遅延時間を決定する、請求項１に記載のＡＶ機器。
【請求項３】
前記識別区間は周期的である、請求項２に記載のＡＶ機器。
【請求項４】
前記識別区間は音声を消去した区間を含む、請求項２に記載のＡＶ機器。
【請求項５】
前記制御部は、オーディオの変更に対応して前記第１オーディオ信号が出力されるように前記第１信号出力部を制御する、請求項１に記載のＡＶ機器。
【請求項６】
前記制御部は、ユーザ入力の受信に対応して、前記オーディオが変更されたと判断する、請求項５に記載のＡＶ機器。
【請求項７】
ソース機器から前記ビデオ信号及び前記オーディオ信号を受信する第２信号受信部をさらに備え、
前記制御部は、前記受信されるビデオ信号又は前記オーディオ信号の変更に対応して、前記オーディオが変更されたと判断する、請求項５に記載のＡＶ機器。
【請求項８】
前記第２オーディオ信号を処理する信号処理部をさらに備え、
前記制御部は、前記ディスプレイ装置の処理遅延時間及び前記第２オーディオ信号に対する処理遅延時間に基づいて前記第２オーディオ信号が出力されるように前記第２信号出力部を制御する、請求項１に記載のＡＶ機器。
【請求項９】
前記第１信号受信部は、Ｓ／ＰＤＩＦ（Ｓｏｎｙ／Ｐｈｉｌｉｐｓｅ  Ｄｉｇｉｔａｌ  Ｉｎｔｅｒｆａｃｅ）の規格を有する、請求項１に記載のＡＶ機器。
【請求項１０】
ディスプレイ装置にビデオ信号及び該ビデオ信号に対応する第１オーディオ信号を出力する段階と、
前記ディスプレイ装置から前記第１オーディオ信号のフィードバック信号を受信する段階と、
前記第１オーディオ信号と前記フィードバック信号とを比較して前記ディスプレイ装置の処理遅延時間を決定する段階と、
前記決定された処理遅延時間に基づいて、前記ビデオ信号に対応する第２オーディオ信号を遅延させて出力する段階と、
を含むＡＶ機器の制御方法。
【請求項１１】
前記第１オーディオ信号は少なくとも一つの識別区間を含み、
前記処理遅延時間を決定する段階は、前記識別区間に基づいて前記第１オーディオ信号と前記フィードバック信号との位相差を判断して前記処理遅延時間を決定する段階を含む、請求項１０に記載のＡＶ機器の制御方法。
【請求項１２】
前記識別区間は周期的である、請求項１１に記載のＡＶ機器の制御方法。
【請求項１３】
前記識別区間は音声を消去した区間を含む、請求項１１に記載のＡＶ機器の制御方法。
【請求項１４】
前記第１オーディオ信号を出力する段階は、オーディオ変更に対応して前記第１オーディオ信号を出力する段階を含む、請求項１０に記載のＡＶ機器の制御方法。
【請求項１５】
前記第１オーディオ信号を出力する段階は、ユーザ入力の受信に対応して、前記オーディオが変更されたと判断する段階を含む、請求項１４に記載のＡＶ機器の制御方法。
【発明の詳細な説明】
【技術分野】
【０００１】
本発明は、ＡＶ機器及びその制御方法に関し、ビデオ信号及びオーディオ信号を出力するＡＶ機器及びその制御方法に関する。
【背景技術】
【０００２】
ホームシアターシステム、ＡＶレシーバーなどのようなＡＶ機器は、ソース機器からビデオ信号及びオーディオ信号を受信し、受信されたビデオ信号及びオーディオ信号を処理し、処理されたビデオ信号はディスプレイ装置に出力し、オーディオ信号は音声出力機器に出力する。ディスプレイ装置は、出力されたビデオ信号を受信及び処理して映像を表示し、音声出力機器はオーディオ信号に基づいて音声を出力する。
【０００３】
ところが、ビデオ信号はディスプレイ装置で処理され、これとは別にオーディオ信号はＡＶ機器で処理されて音声出力機器から出力されるため、これらのビデオ信号とオーディオ信号との同期化に問題が生じることがある。もし、ＡＶ機器でオーディオ信号を処理して出力する時間に比べてディスプレイ装置でビデオ信号を処理する時間が長くなると、ディスプレイ装置で表示される映像は音声出力機器から出力される音声と一致せず、音声よりも遅く表示されることがある。
【０００４】
このような映像及び音声間の不一致又は遅延を解消するために、ＡＶ機器やディスプレイ装置などで遅延を補正する処理を考慮することもできる。例えば、ユーザが映像及び音声を直接見聞きしながら、ユーザ自身の判断下に、映像と音声とが一致するような程度に遅延を補正することができる。しかしながら、この場合は、遅延補正の度合がユーザの主観的な判断に依存するため、その正確性や信頼性が保障し難い。その上、このような補正は固定したものであるため、再生しようとするコンテンツの種類、解像度、各装置の特性などによって遅延の度合が変わる場合には適切に適用できないという問題もある。
【発明の概要】
【発明が解決しようとする課題】
【０００５】
したがって、本発明の目的は、正確且つ確実に遅延を補正してビデオ信号及びオーディオ信号を出力できるＡＶ機器及びその制御方法を提供することにある。
【０００６】
また、本発明の目的は、再生しようとするコンテンツの種類、解像度、各装置の特性などによって遅延の度合が変わる場合にも效果的に遅延を補正してビデオ信号及びオーディオ信号を出力できるＡＶ機器及びその制御方法を提供することにある。
【課題を解決するための手段】
【０００７】
本発明の上記目的は、ディスプレイ装置にビデオ信号及び該ビデオ信号に対応する第１オーディオ信号を出力する第１信号出力部と、前記ディスプレイ装置から前記第１オーディオ信号のフィードバック信号を受信する第１信号受信部と、前記ビデオ信号に対応する第２オーディオ信号を出力する第２信号出力部と、前記第１オーディオ信号と前記フィードバック信号とを比較して前記ディスプレイ装置の処理遅延時間を決定し、該決定された処理遅延時間に基づいて、前記第２オーディオ信号が遅延して出力されるように前記第２信号出力部を制御する制御部と、を備えるＡＶ機器によって達成することができる。
【０００８】
前記第１オーディオ信号は少なくとも一つの識別区間を含み、前記制御部は、前記識別区間に基づいて前記第１オーディオ信号と前記フィードバック信号との位相差を判断して前記処理遅延時間を決定することができる。
【０００９】
前記識別区間は周期的であってもよい。前記識別区間は音声を消去した区間を含むことができる。
【００１０】
前記制御部は、オーディオの変更に対応して前記第１オーディオ信号が出力されるように前記第１信号出力部を制御することができる。
【００１１】
前記制御部は、ユーザ入力の受信に対応して、前記オーディオが変更されたと判断することができる。
【００１２】
ＡＶ機器は、ソース機器から前記ビデオ信号及び前記オーディオ信号を受信する第２信号受信部をさらに備え、前記制御部は、前記受信されるビデオ信号又は前記オーディオ信号の変更に対応して、前記オーディオが変更されたと判断することができる。
【００１３】
ＡＶ機器は、前記第２オーディオ信号を処理する信号処理部をさらに備え、前記制御部は、前記ディスプレイ装置の処理遅延時間及び前記第２オーディオ信号に対する処理遅延時間に基づいて前記第２オーディオ信号が出力されるように前記第２信号出力部を制御することができる。
【００１４】
前記第１信号受信部は、Ｓ／ＰＤＩＦ（Ｓｏｎｙ／Ｐｈｉｌｉｐｓｅ  Ｄｉｇｉｔａｌ  Ｉｎｔｅｒｆａｃｅ）の規格を有することができる。
【００１５】
本発明の上記目的は、ディスプレイ装置にビデオ信号及び該ビデオ信号に対応する第１オーディオ信号を出力する段階と、前記ディスプレイ装置から前記第１オーディオ信号のフィードバック信号を受信する段階と、前記第１オーディオ信号と前記フィードバック信号とを比較して前記ディスプレイ装置の処理遅延時間を決定する段階と、前記決定された処理遅延時間に基づいて、前記ビデオ信号に対応する第２オーディオ信号を遅延させて出力する段階と、を含むＡＶ機器の制御方法によって達成することもできる。
【００１６】
前記第１オーディオ信号は少なくとも一つの識別区間を含み、前記処理遅延時間を決定する段階は、前記識別区間に基づいて前記第１オーディオ信号と前記フィードバック信号との位相差を判断して前記処理遅延時間を決定する段階を含むことができる。
【００１７】
前記識別区間は周期的であってもよい。前記識別区間は音声を消去した区間を含むことができる。
【００１８】
前記第１オーディオ信号を出力する段階は、オーディオの変更に対応して前記第１オーディオ信号を出力する段階を含むことができる。
【００１９】
前記第１オーディオ信号を出力する段階は、ユーザ入力の受信に対応して、前記オーディオが変更されたと判断する段階を含むことができる。
【００２０】
ＡＶ機器の制御方法は、ソース機器から前記ビデオ信号及び前記オーディオ信号を受信する段階をさらに含み、前記第１オーディオ信号を出力する段階は、前記受信されるビデオ信号又は前記オーディオ信号の変更に対応して、前記オーディオが変更されたと判断する段階を含むことができる。
【００２１】
ＡＶ機器の制御方法は、前記第２オーディオ信号を処理する段階をさらに含み、前記第２オーディオ信号を出力する段階は、前記ディスプレイ装置の処理遅延時間及び前記第２オーディオ信号に対する処理遅延時間に基づいて前記第２オーディオ信号を出力する段階を含むことができる。
【００２２】
前記フィードバック信号を受信する段階は、Ｓ／ＰＤＩＦの規格によって前記フィードバック信号を受信する段階を含むことができる。
【００２３】
本発明の上記目的は、第１信号出力部と、第２信号出力部と、ディスプレイ装置に第１信号を送信するように前記第１信号出力部を制御し、前記第１信号を前記ディスプレイ装置から受信されたフィードバック信号と比較して前記ディスプレイ装置の処理遅延時間を決定し、前記ディスプレイ装置に第１ビデオ信号を送信するように前記第１信号出力部を制御し、前記決定された処理遅延時間に基づいて、第１オーディオ信号が送信されるタイミングを補償することによって、前記第１ビデオ信号と同期する前記第１オーディオ信号を送信するように前記第２信号出力部を制御する制御部と、を備えるＡＶ機器によって達成することもできる。
【００２４】
前記第１信号は第２ビデオ信号及び第２オーディオ信号を含むことができる。
【００２５】
前記制御部は、ユーザ入力の受信、オーディオ変更の発生、前記第１ビデオ信号変更の発生又は前記第２オーディオ信号変更の発生のうち少なくとも一つに対応して前記ディスプレイ装置の処理遅延時間を決定することができる。
【００２６】
本発明の上記目的は、ディスプレイ装置に第１信号を送信し、前記第１信号を前記ディスプレイ装置から受信されたフィードバック信号と比較して前記ディスプレイ装置の処理遅延時間を決定する段階と、前記決定された処理遅延時間に基づいて、前記ディスプレイ装置に送信される第１ビデオ信号と同期する第１オーディオ信号が送信されるタイミングを補償する段階と、を含むＡＶ機器によって達成することもできる。
【００２７】
前記第１信号は第２ビデオ信号及び第２オーディオ信号を含むことができる。
【００２８】
前記決定する段階は、ユーザ入力の受信、オーディオ変更の発生、前記第１ビデオ信号変更の発生又は前記第２オーディオ信号変更の発生のうち少なくとも一つに対応して前記ディスプレイ装置の処理遅延時間を決定する段階を含むことができる。
【発明の効果】
【００２９】
上述の如く、本発明によれば、正確且つ確実に遅延を補正してビデオ信号及びオーディオ信号を出力することができる。
【００３０】
また、本発明によれば、再生しようとするコンテンツの種類、解像度、各装置の特性などによって遅延の度合が変わる場合にも效果的に遅延を補正してビデオ信号及びオーディオ信号を出力することができる。
【図面の簡単な説明】
【００３１】
【図１】本発明の一実施例に係るＡＶ機器を示す図である。
【図２】本発明の一実施例に係るＡＶ機器の構成を示すブロック図である。
【図３】本発明の一実施例に係るＡＶ機器の動作を示すフローチャートである。
【図４】本発明の一実施例に係るディスプレイ装置の構成を示すブロック図である。
【図５】本発明の一実施例に係るＡＶ機器とディスプレイ装置間の相互動作を示す図である。
【図６】本発明の一実施例に係るＡＶ機器の遅延補償を行う一例を示す図である。
【図７】本発明の一実施例に係るＡＶ機器が出力する第１オーディオ信号及びそのフィードバック信号の波形を示す図である。
【発明を実施するための形態】
【００３２】
以下、本発明の一実施例について詳しく説明する。図１には、本発明の一実施例に係るＡＶ機器を示す。本発明の一実施例に係るＡＶ機器１１は、ホームシアターシステム、ＡＶレシーバーなどのような機器として実現することができる。ＡＶ機器１１は、ビデオ信号及びオーディオ信号を処理し、処理されたビデオ信号はディスプレイ装置１２に出力し、オーディオ信号は音声出力機器１３に出力する。ディスプレイ装置１２は、特に制限されるものではなく、ＴＶなどであってもよく、音声出力機器１３はスピーカーシステムであってもよい。ＡＶ機器１１は、ビデオ信号及びオーディオ信号をソース機器１４から受信することができる。ソース機器１４は、特に制限されるものではなく、ＤＶＤプレーヤー、ＢＤプレーヤー、ＰＣ、スマートフォン、スマートパッド、ゲーム機などのいずれであってもよい。ソース機器１４は、マルチメディアコンテンツ（以下、「コンテンツ」ともいう。）のビデオ信号及びオーディオ信号をＡＶ機器１１に送信することができる。ディスプレイ装置１２はＡＶ機器１１からビデオ信号を受信及び処理して映像を表示する。音声出力機器１３はＡＶ機器１１からオーディオ信号を受信し、この信号に基づいて音声を出力する。
【００３３】
ディスプレイ装置１２は、ＡＶ機器１１から受信したビデオ信号に対して映像処理、例えば、画質改善処理などを行うことができる。ＡＶ機器１１は、ディスプレイ装置１２のビデオ信号に対する映像処理によって発生し得る遅延を補償する。ＡＶ機器１１は、ディスプレイ装置１２の映像処理による処理遅延時間を決定し、決定された処理遅延時間に基づいて、音声出力機器１３に出力されるオーディオ信号を、ディスプレイ装置１２に出力されるビデオ信号と対比して遅延させて出力する。このようなＡＶ機器１１の遅延補償によって、ディスプレイ装置１２で表示される映像と音声出力機器１３から出力される音声とが一致して同期化することができる。
【００３４】
具体的に、ＡＶ機器１１は、ディスプレイ装置１２に第１信号を送信し、ディスプレイ装置１２から第１信号のフィードバック信号を受信し、受信されたフィードバック信号に基づいて、ディスプレイ装置１２の映像処理による処理遅延時間を決定する。本実施例の第１信号は、ディスプレイ装置１２にビデオ信号と共に送信されるオーディオ信号（以下、「第１オーディオ信号」という。）を含むことができる。したがって、本発明の一実施例に係るＡＶ機器１１は第１オーディオ信号及びそのフィードバック信号を用いて処理遅延時間を決定するため、例えば、ユーザの主観的な判断などによる遅延補正に比べて、より正確で信頼性高く遅延補正を行うことができる。また、本発明の一実施例に係るＡＶ機器１１は、コンテンツの再生の都度、実時間で処理遅延時間を決定できるため、再生しようとするコンテンツの種類、解像度、ディスプレイ装置１２などの特性などによって遅延の度合が変わる場合にも效果的に遅延を補正することができる。また、本発明の一実施例に係るＡＶ機器１１の遅延補正は、ディスプレイ装置１２の特性とは独立して行うことができるため、例えば、ディスプレイ装置１２が決定された処理遅延時間の情報をディスプレイ装置１２から取得する方式に比べて、多数のメーカーで販売されている多種多様なディスプレイ装置１２に、より互換的且つ普遍化した技術として活用できるという長所がある。
【００３５】
図２は、本発明の一実施例に係るＡＶ機器１１の構成を示すブロック図である。図２に示すように、ＡＶ機器１１は、第１信号出力部２２、第１信号受信部２４、信号処理部２６、第２信号出力部２７及び制御部２３を備えることができる。第１信号出力部２２は、ビデオ信号及び第１オーディオ信号をディスプレイ装置１２に出力する。ＡＶ機器１１は、ソース機器１４からビデオ信号及びオーディオ信号を受信する第２信号受信部２１をさらに備えることができる。第１信号出力部２２は、第２信号受信部２１から受信したビデオ信号をディスプレイ装置１２に出力する。第１信号出力部２２は、第２信号受信部２１から受信したオーディオ信号から得られた第１オーディオ信号をディスプレイ装置１２に出力する。第１オーディオ信号は、共に出力されるビデオ信号と同期化されている。
【００３６】
第１信号受信部２４は、ディスプレイ装置１２から第１オーディオ信号のフィードバック信号を受信する。第１信号受信部２４が受信するフィードバック信号は、ディスプレイ装置１２に出力された第１オーディオ信号がディスプレイ装置１２を経て出力される信号である。第１信号受信部２４は、Ｓ／ＰＤＩＦ（Ｓｏｎｙ／Ｐｈｉｌｉｐｓｅ  Ｄｉｇｉｔａｌ  Ｉｎｔｅｒｆａｃｅ）の規格によって第１オーディオ信号のフィードバック信号を受信することができる。Ｓ／ＰＤＩＦは、デジタル端子規格の一つで、一つのケーブルを用いてマルチチャネル音声データを伝達することが可能である。
【００３７】
信号処理部２６は、ビデオ信号又はオーディオ信号を処理する。具体的に、信号処理部２６は、ソース機器１４から受信したオーディオ信号に音声処理を行う。音声処理は、例えば、音質改善処理、イコーライジング処理、音声効果処理などを含むことができる。或いは、信号処理部２６は、ビデオ信号に対する映像処理を行うこともできる。
【００３８】
第２信号出力部２７は、ソース機器１４から受信したオーディオ信号を音声出力機器１３に出力する。具体的に、第２信号出力部２７は、制御部２３の制御によって遅延補償されたオーディオ信号（以下、「第２オーディオ信号」ともいう。）を音声出力機器１３に出力する。他の実施例として、ＡＶ機器１１は、第２信号出力部２７を備えなくてもよく、或いは、第２信号出力部２７に加えて、遅延補償された第２オーディオ信号に基づいて音声を出力するスピーカーをさらに備えてもよい。
【００３９】
制御部２３は、ディスプレイ装置１２に出力された第１オーディオ信号と、ディスプレイ装置１２から受信したフィードバック信号とを比較して、ディスプレイ装置１２の処理遅延時間を決定し、決定された処理遅延時間に基づいて、第２オーディオ信号がビデオ信号よりも遅延して出力されるように制御を行う。制御部２３は、このような制御を行うための制御プログラムと、制御プログラムの全部又は一部が格納される不揮発性のメモリ及び揮発性のメモリと、制御プログラムを実行するマイクロプロセッサと、を備えることができる。
【００４０】
図３は、本発明の一実施例に係るＡＶ機器１１の動作を示すフローチャートである。まず、動作Ｓ３１で、ＡＶ機器１１は、ディスプレイ装置１２にビデオ信号及び第１オーディオ信号を出力する。次に、動作Ｓ３２で、ＡＶ機器１１は、ディスプレイ装置１２から第１オーディオ信号のフィードバック信号を受信する。次に、動作Ｓ３３で、ＡＶ機器１１は、ディスプレイ装置１２に出力した第１オーディオ信号とディスプレイ装置１２から受信したフィードバック信号とを比較して、ディスプレイ装置１２の処理遅延時間を決定する。次に、動作Ｓ３４で、ＡＶ機器１１は、決定された処理遅延時間に基づいて、第２オーディオ信号をビデオ信号よりも遅延させて出力する。
【００４１】
図４は、本発明の一実施例に係るディスプレイ装置１２の構成を示すブロック図である。ディスプレイ装置１２は、図４に示すように、信号受信部４１、ビデオ信号処理部４４、ディスプレイ部４２、オーディオ信号処理部４６、信号出力部４３、及び制御部４５を備えることができる。信号受信部４１はＡＶ機器１１からビデオ信号及び第１オーディオ信号を受信する。
【００４２】
ビデオ信号処理部４４は、信号受信部４１によって受信されたビデオ信号に映像処理を行う。ビデオ信号処理部４４が行う映像処理としては、例えば、画質改善処理、モジュレーション、デモジュレーション、マルチプレクシング、デマルチプレクシング、アナログ−デジタル変換、デジタル−アナログ変換、デコーティング、エンコーディング、スケーリングなどの処理を含むことができる。ビデオ信号処理部４４は、ビデオ信号に含まれたフレームの単位で映像処理を行う。ビデオ信号処理部４４は、ビデオ信号のフレームを格納するフレームバッファ４４１を含むことができる。ビデオ信号処理部４４は、入力される順に各フレームをフレームバッファ４４１に一時的に格納しながら、格納されたフレームに対して所定の映像処理を行ったら次のフレームに対して映像処理を行う方式で、各フレームに対して順次に映像処理を行うことができる。この場合、ビデオ信号は第１オーディオ信号に比べてより処理時間がかかることがある。
【００４３】
ディスプレイ部４２は、ビデオ信号処理部４４で処理されたビデオ信号に基づいて映像を表示する。ディスプレイ部４２は、ＬＣＤ、ＰＤＰ、ＯＬＥＤなどの様々な方式で映像を表示することができる。オーディオ信号処理部４６は、信号受信部４１によって受信された第１オーディオ信号に音声処理を行う。信号出力部４３は、オーディオ信号処理部４６で処理された第１オーディオ信号のフィードバック信号をＡＶ機器１１に送信する。信号出力部４３はＳ／ＰＤＩＦの規格によって第１オーディオ信号のフィードバック信号をＡＶ機器１１に送信することができる。
【００４４】
制御部４５は、信号出力部４３から出力される第１オーディオ信号のフィードバック信号が、ビデオ信号処理部４４で処理されたビデオ信号と同期化して出力されるように制御する。例えば、制御部４５は、ビデオ信号処理部４４におけるビデオ信号の映像処理にかかる時間に応じて、第１オーディオ信号のフィードバック信号をビデオ信号と同期化するように遅延させることができる。具体的に、制御部４５は、ビデオ信号のフレームと、それに対応する第１オーディオ信号の音声部分とが相互マッチングするように同期化させることができる。制御部４５は、ビデオ信号及び第１オーディオ信号に含まれた所定のインデックス情報を用いてフレームとそれに対応する第１オーディオ信号の音声部分とを同期化させることができる。
【００４５】
図５は、本発明の一実施例に係るＡＶ機器１１及びディスプレイ装置１２の相互動作を示す図である。まず、動作Ｓ５１で、ＡＶ機器１１はビデオ信号及び第１オーディオ信号をディスプレイ装置１２に送信する。次に、動作Ｓ５２で、ディスプレイ装置１２はビデオ信号に映像処理を行って映像を表示し、第１オーディオ信号はビデオ信号と同期化するように処理する。次に、動作Ｓ５３で、ディスプレイ装置１２は、同期化した第１オーディオ信号のフィードバック信号をＡＶ機器１１に送信する。次に、動作Ｓ５４で、ＡＶ機器１１は、ディスプレイ装置１２に出力された第１オーディオ信号、及びディスプレイ装置１２から受信した第１オーディオ信号のフィードバック信号に基づいて、ディスプレイ装置１２の処理遅延時間を決定する。次に、動作Ｓ５５で、ＡＶ機器１１は、ビデオ信号をディスプレイ装置１２に送信しながら、動作Ｓ５６で、決定された処理遅延時間に基づいて遅延補償された第２オーディオ信号を音声出力機器１３に出力する。
【００４６】
図６には、本発明の一実施例に係るＡＶ機器１１の遅延補償を行う一例を示す。本実施例における処理遅延時間Δｔ１は、ＡＶ機器１１がディスプレイ装置１２に第１オーディオ信号を出力して、ディスプレイ装置１２から第１オーディオ信号のフィードバック信号を受信するまでかかる時間である。すなわち、処理遅延時間Δｔ１は、ディスプレイ装置１２がビデオ信号に対する映像処理を行うためにかかる時間に対応する。処理遅延時間Δｔ１の決定は、ＡＶ機器１１からディスプレイ装置１２に出力される第１オーディオ信号の特定地点と、ディスプレイ装置１２からＡＶ機器１１に受信される第１オーディオ信号のフィードバック信号における対応する地点との時間差を測定することによって行うことができる。処理遅延時間Δｔ１は、コンテンツの種類、ビデオ信号の映像の解像度、映像処理の種類又は方法、ディスプレイ装置１２の特性又は性能などによって変わることがあり、例えば、数十〜数百［ｍｓｅｃ］程度であり得る。ＡＶ機器１１は、処理遅延時間Δｔ１が決定されると、処理遅延時間Δｔ１に基づいて遅延補償された第２オーディオ信号を音声出力機器１３に出力する。例えば、処理遅延時間Δｔ１が１００［ｍｓｅｃ］である場合、ＡＶ機器１１は、ディスプレイ装置１２に出力されるビデオ信号に比べて、第２オーディオ信号を１００［ｍｓｅｃ］だけ遅延させて音声出力機器１３に出力する。
【００４７】
他の実施例として、ＡＶ機器１１は、第２オーディオ信号に音声処理を行うこともできる。この場合、図６に示すように、第２オーディオ信号の音声処理にかかる処理遅延時間Δｔ２が発生し得る。ＡＶ機器１１は、ディスプレイ装置１２の処理遅延時間Δｔ１から第２オーディオ信号の処理遅延時間Δｔ２を引いて第２オーディオ信号の遅延補償ΔＴを行うことができる。例えば、処理遅延時間Δｔ１が１００［ｍｓｅｃ］で、処理遅延時間Δｔ２が１０［ｍｓｅｃ］である場合、ＡＶ機器１１は、ディスプレイ装置１２に出力されるビデオ信号に比べて、第２オーディオ信号を９０［ｍｓｅｃ］だけ遅延させて音声出力機器１３に出力する。
【００４８】
ＡＶ機器１１は、ディスプレイ装置１２に出力される第１オーディオ信号をパターン化することによって、そのフィードバック信号との対比をより效果的に得ることができる。すなわち、ＡＶ機器１１からディスプレイ装置１２に出力される第１オーディオ信号は、第１オーディオ信号内の特定地点を識別可能にする少なくとも一つの識別区間を含むことができる。識別区間は周期的であってもよい。ＡＶ機器１１は、識別区間に基づいて、第１オーディオ信号とそのフィードバック信号との位相差を判断して処理遅延時間を決定することができる。図７に、本発明の一実施例に係るＡＶ機器１１が出力する第１オーディオ信号及びそのフィードバック信号の波形を示す。ＡＶ機器１１は、図７に示すように、識別区間Ｍを含む第１オーディオ信号７１をディスプレイ装置１２に出力することができる。符号Ｌ及びＲは、ステレオ方式の第１オーディオ信号７１の左側音声及び右側音声をそれぞれ示す。第１オーディオ信号７１の識別区間Ｍは、当該区間の音声を消去した区間であってもよい。ＡＶ機器１１は、ソース機器１４から受信したオーディオ信号に対して所定の周期で音声を消去し、識別区間Ｍを含む第１オーディオ信号７１を生成することができる。この実施例では音声チャネルがＬ及びＲである場合を挙げているが、これは一実施例に過ぎず、単一の音声チャネルであってもよく、或いは３個以上の音声チャネルであってもよい。
【００４９】
ＡＶ機器１１は、図７に示すように、ディスプレイ装置１２から第１オーディオ信号７１のフィードバック信号７２を受信することができる。第１オーディオ信号７１のフィードバック信号７２も、第１オーディオ信号７１と同様に識別区間Ｍを含む。ＡＶ機器１１は、第１オーディオ信号７１のある識別区間Ｍと、第１オーディオ信号７１のフィードバック信号７２における対応する識別区間Ｍとの位相差を測定して、ディスプレイ装置１２の処理遅延時間Δｔ１を決定することができる。第１オーディオ信号７１とそのフィードバック信号７２との相互間の位相差を測定するにあって、両信号の識別区間Ｍにおける相互対応する特定地点を選択することができる。識別区間Ｍにおける相互対応する特定地点として、例えば、識別区間Ｍの開始地点、終了地点、中央地点などを用いることができる。
【００５０】
このように、本発明の一実施例に係るＡＶ機器１１によれば、識別区間Ｍを用いて第１オーディオ信号７１とそのフィードバック信号７２との対比を容易にさせることによって、第１オーディオ信号７１とそのフィードバック信号７２との位相差をより效果的に測定することができる。また、識別区間Ｍを周期的に設けることによって、ディスプレイ装置１２の特性によってフィードバック信号７２が一定の形態で出力されない場合にも、より信頼性高く第１オーディオ信号７１とそのフィードバック信号７２との位相差を測定することができる。
【００５１】
他の実施例として、ＡＶ機器１１は、第１オーディオ信号７１とそのフィードバック信号７２との位相差を複数回測定し、複数回測定された値の平均値などを用いることによって、測定の信頼性をより向上させることもできる。また、第１オーディオ信号７１とそのフィードバック信号７２との位相差を複数回測定することによって、第１オーディオ信号において本来音声のない区間と、音声の消去された識別区間との区別をより明確にすることもできる。
【００５２】
ＡＶ機器１１は、オーディオが変更される時、ディスプレイ装置１２に第１オーディオ信号を出力し、そのフィードバック信号を受信して処理遅延時間を決定することができる。例えば、ユーザがコンテンツの再生を要請したとき、ＡＶ機器１１は、オーディオが変更されることが判断できる。ＡＶ機器１１は、図２を再び参照すると、ユーザの入力を受信するユーザ入力受信部２５をさらに備えることができる。ＡＶ機器１１は、ユーザ入力受信部２５を介してユーザのコンテンツ再生要請を受信することができる。他の実施例として、ＡＶ機器１１は、ソース機器１４から受信されるビデオ信号或いはオーディオ信号に変更がある時、オーディオが変更されることが判断できる。例えば、ユーザのコンテンツ再生要請がソース機器１４から入力される場合、該当のビデオ信号又はオーディオ信号にも変更が発生し、ＡＶ機器１１はこのような変更を感知して、オーディオが変更されると判断することができる。このように、ＡＶ機器１１は、オーディオが変更される時、実時間で処理遅延時間を決定してオーディオ信号の遅延補償を行うことができるため、ユーザの便宜性が向上する。
【００５３】
また、ＡＶ機器１１は、遅延補償を行ってほしいというユーザの要請に対応して処理遅延を決定することもできる。このような要請はユーザ入力受信部２５を介して受信することができる。
【００５４】
以上、好適な実施例を挙げて本発明について詳しく説明したが、本発明はそれらに限定されるものではなく、特許請求の範囲内で様々に実施されてもよい。
【符号の説明】
【００５５】
１１    ＡＶ機器
１２    ディスプレイ装置
１３    音声出力機器
１４    ソース機器
【図１】
2015130662.tif 000003
【図２】
2015130662.tif 000004
【図３】
2015130662.tif 000005
【図４】
2015130662.tif 000006
【図５】
2015130662.tif 000007
【図６】
2015130662.tif 000008
【図７】
2015130662.tif 000009